(57)【特許請求の範囲】
【請求項１】
リムの後方に支持部を有する洋風便器本体と、該支持部に設けられ、便座及び便蓋をもつ便座・便蓋装置と、該支持部に設けられ、給水管から供給される水で該洋風便器本体の洗浄を行う便器洗浄装置とを備えたタンクレス便器において、
前記支持部には、前方側の便座・便蓋装置取付部と後方側の便器洗浄装置取付部とを有する固定プレートの該後方側が固定され、前記便座・便蓋装置は該便座・便蓋装置取付部に固定され、前記便器洗浄装置は該便器洗浄装置取付部に固定され、該固定プレートは該便座・便蓋装置取付部が該便器洗浄装置取付部に対して上下に揺動可能であることを特徴とするタンクレス便器。
【請求項２】
便器洗浄装置は、水を洋風便器本体に供給・停止可能な弁手段と、大気と連通する吸気口を有し、該弁手段における該水の逆流を防止するバキュームブレーカとを備え、固定プレートは該バキュームブレーカの該吸気口から吐出する逆流水を該洋風便器本体のボウル部に向けて流下させる案内路を有することを特徴とする請求項１記載のタンクレス便器。
【発明の詳細な説明】
【０００１】
【発明の属する技術分野】
本発明は便器洗浄タンクを有さないタンクレス便器に関し、便座・便蓋装置及び便器洗浄装置を備えたタンクレス便器に関する。
【０００２】
【従来の技術】
一般的な水洗式便器では、水道管等の給水管から供給される水をロータンク等の便器洗浄タンクに一旦貯留し、その便器洗浄タンクに貯留した水により便器本体の洗浄を行う。この便器洗浄タンクは、便器本体の外方に位置するようにトイレの側壁に取り付けられており、しかも、排泄物の便器本体からの排出を確実に行うべく多量の水を一度に便器本体に吐出するために大容積とされている。このため、かかる一般的な水洗式便器では、便器洗浄タンクを設置するために大きなスペースが必要とされる。
【０００３】
そこで、近年、トイレのスペースの有効活用等の観点から、便器洗浄タンクを有さないタンクレス便器が開発されつつある（特開平３−９０７２３号公報等）。このタンクレス便器では、リムの後方に支持部を有する洋風便器本体を採用しており、この洋風便器本体の支持部には固定プレートが固定され、この固定プレートの後方側に便器洗浄装置が備えられ、便器洗浄装置のカバーの前方側に便座・便蓋装置が上下に揺動可能に備えられている。便座・便蓋装置は便座及び便蓋を有している。また、便器洗浄装置は、組み込まれている弁手段の開弁により給水管からの水を洋風便器本体へ直接供給するようになっており、これにより洋風便器本体の洗浄を行うようになっている。
【０００４】
【発明が解決しようとする課題】
しかし、上記従来のタンクレス便器では、支持部に固定プレートを固定し、この固定プレートに固定した便器洗浄装置のカバーに便座・便蓋装置を設けているため、洋風便器本体の清掃が困難であるという難点を有する。特に、このタンクレス便器では、便座・便蓋装置ががたつかないように固定プレートが洋風便器本体の前後でしっかり固定される必要があり、この傾向が大きい。
【０００５】
すなわち、上記タンクレス便器を含む便器は、便器本体周りに尿等が付着し、汚れが発生することがある。殊に子供が便器を使用する場合には、汚れが発生し易い。こうして上記タンクレス便器において、洋風便器本体と便座・便蓋装置や便器洗浄装置との間の微小隙間に汚れが発生し、洋風便器本体の清掃を行おうとする場合、清掃者は、まず便器洗浄装置のカバーから便座・便蓋装置を取り外した後、便器洗浄装置のカバーを取り外し、さらに便器洗浄装置を固定プレートとともに洋風便器本体から取り外すか、又は便器洗浄装置を固定プレートから取り外した後に固定プレートを洋風便器本体から取り外すかする必要がある。こうして、このタンクレス便器は、洋風便器本体の清掃のために多くの手順を必要とすることから、洋風便器本体の清掃性が低いといえる。特に、このタンクレス便器は、固定プレートを取り外す際、固定プレートが洋風便器本体の前後でしっかり固定されていることから、この傾向が大きい。
【０００６】
本発明は、上記した実情に鑑みてなされたものであり、洋風便器本体の清掃性を高めたタンクレス便器を提供することを解決すべき課題としている。
【０００７】
【課題を解決するための手段】
本発明のタンクレス便器は、リムの後方に支持部を有する洋風便器本体と、該支持部に設けられ、便座及び便蓋をもつ便座・便蓋装置と、該支持部に設けられ、給水管から供給される水で該洋風便器本体の洗浄を行う便器洗浄装置とを備えたタンクレス便器において、
前記支持部には、前方側の便座・便蓋装置取付部と後方側の便器洗浄装置取付部とを有する固定プレートの該後方側が固定され、前記便座・便蓋装置は該便座・便蓋装置取付部に固定され、前記便器洗浄装置は該便器洗浄装置取付部に固定され、該固定プレートは該便座・便蓋装置取付部が該便器洗浄装置取付部に対して上下に揺動可能であることを特徴とする。
【０００８】
このタンクレス便器では、洋風便器本体の支持部に固定プレートが固定されている。固定プレートは、便座・便蓋装置を取り付ける便座・便蓋装置取付部を前方側に有し、便器洗浄装置を取り付ける便器洗浄装置取付部を後方側に有する。このため、洋風便器本体と便座・便蓋装置や便器洗浄装置との間の微小隙間に汚れが発生し、洋風便器本体の清掃を行おうとする場合、清掃者は、固定プレートを洋風便器本体の支持部から外せば、便座・便蓋装置及び便器洗浄装置を洋風便器本体から取り外すことができる。こうして、このタンクレス便器は、洋風便器本体の清掃のために多くの手順を必要としないことから、洋風便器本体の清掃性が高い。
【０００９】
また、固定プレートは、便座・便蓋装置及び便器洗浄装置の双方を併せて洋風便器本体に取り付ける共通プレートとして利用されるため、取付性も改善され、部品点数の低減も図り得る。
固定プレートは便座・便蓋装置取付部が便器洗浄装置取付部に対して上下に揺動可能である。こうであれば、便座・便蓋装置のみを固定プレートに固定したまま洋風便器本体に対して上下に揺動できるため、固定プレートの前方側に隠れた洋風便器本体の支持部の清掃性を高めることができる。便座・便蓋装置取付部には便座・便蓋装置の取付ボルトを固定する便座・便蓋取付孔が形成され、洋風便器本体の支持部には、その取付ボルトを挿通する挿通孔と、固定プレートの後方側を支持部に固定する固定プレート取付孔とが形成されていることが好ましい。こうであれば、支持部の固定プレート取付孔により固定プレートの後方側のみが洋風便器本体に固定されているだけであるので、便座・便蓋装置とともに固定プレートを容易に取り外すことができ、本発明の効果が大きい。
【００１０】
また、便器洗浄装置が弁手段とバキュームブレーカとを備えている場合、固定プレートはそのバキュームブレーカの吸気口から吐出する逆流水を洋風便器本体に案内する案内路を有することができる。ここで、弁手段は水を洋風便器本体に供給・停止可能なものである。また、バキュームブレーカは、大気と連通する吸気口を有し、その弁手段における水の逆流を防止するものである。こうであれば、バキュームブレーカの吸気口から吐出する逆流水を固定プレートに設けた案内路で洋風便器本体に案内することができるため、特別な配管を必要とすることなく、逆流水による汚染を防止することができる。
【００１１】
【発明の実施の形態】
以下、本発明を具体化した実施形態を図面を参照しつつ説明する。
図１に示すように、実施形態に係るタンクレス便器１は、ロータンク等の便器洗浄タンクを有さないタンクレス方式のものであり、洋風便器本体２と、便座・便蓋装置５と、便器洗浄装置７とを備えている。
【００１２】
洋風便器本体２は陶器で形成されており、排泄物を受けるボウル部２０をもつ便鉢２１と、便鉢２１の前側の上部の周縁に巡らされ、内部にリム通水路２３を有するリム２４と、リム２４の後方に便鉢２１と一体的に設けられた支持部２５とを備えている。ボウル部２０の底付近には図示しないジェットノズルが設けられている。支持部２５は洋風便器本体２の後部で盤状に後方に向けて延設されており、リム２４の高さとほぼ同一高さをもつ平坦な支持面２６を備えている。支持部２５には、硬質樹脂製の固定プレート３が脱着可能に固定されている。
【００１３】
固定プレート３は四角板形状をなしており、前方側に便座・便蓋装置取付部３０を有し、後方側に便器洗浄装置取付部３１を有しており、便座・便蓋装置５及び便器洗浄装置７を共通して取り付けるための共通プレートとして機能する。
図２に示すように、固定プレート３の便座・便蓋装置取付部３０は上面及び下面が平坦なほぼ四角板形状をなしており、互いに平行な前辺部３０ａ及び後辺部３０ｂと、互いに平行な横辺部３０ｃと、幅方向の両側から後方に突出した突出部３０ｄとを備えている。
【００１４】
また、固定プレート３の便器洗浄装置取付部３１は上面及び下面が平坦なほぼ四角板形状をなしており、互いに平行な前辺部３１ａ及び後辺部３１ｂと、互いに平行な横辺部３１ｃと、横辺部３１ｃに形成され便座・便蓋装置取付部３０の突出部３０ｄが嵌まる凹部３１ｄとを備えている。
固定プレート３を構成する便座・便蓋装置取付部３０と便器洗浄装置取付部３１との境界域において、幅方向の両端には、横方向に沿った軸芯をもつ枢軸部３５が合計２個設けられている。枢軸部３５はヒンジ手段として機能するものであり、固定プレート３を構成する便座・便蓋装置取付部３０と便座・便蓋装置取付部３０とは上下に揺動可能とされている。つまり、固定プレート３は上下方向に揺動して折り畳み可能とされている。このため、固定プレート３の前方側を構成する便座・便蓋装置取付部３０は、固定プレート３の後方側を構成する便器洗浄装置取付部３１に対して上下に揺動可能とされている。
【００１５】
固定プレート３の便座・便蓋装置取付部３０の前部のうち幅方向の両端側には、便座・便蓋取付孔３２が上下方向に貫通して合計２個形成されている。また、固定プレート３の便器洗浄装置取付部３１の後部のうち幅方向の両端側には、取付孔３３が上下に貫通して合計２個形成されている。
図１に示すように、便座・便蓋装置５は、洋風便器本体２のリム２４に沿った形状をもつ便座５０と、便座５０の上方に支持軸５１により揺動可能に設けられた便蓋５２と、便座５０よりも下方に突出するように下向きに突設された取付ボルト５４とを備えている。取付ボルト５４は取付手段として機能するものであり、先端部に雄ねじ部をもち、便座・便蓋装置５の幅方向の両側に合計２個設けられている。
【００１６】
前記した洋風便器本体２の支持部２５のうちボウル部２０側には、その幅方向の両側に、挿通孔２７が上下に貫通するように合計２個形成されている。洋風便器本体２の挿通孔２７の位置、便座・便蓋装置５の取付ボルト５４の位置、固定プレート３の便座・便蓋取付孔３２の位置は、重なり得るように互いに相応する位置に設けられている。挿通孔２７の孔径は固定プレート３の便座・便鉢取付孔３２の孔径及び取付ボルト５４の雄ねじ部の径よりも大きくされている。これにより挿通孔２７内に挿入した便座・便蓋装置５の取付ボルト５４を支持面２６の面方向において位置調整できるようにされている。
【００１７】
図１及び図２に示すように、便器洗浄装置７は固定プレート３の便器洗浄装置取付部３１の片側に固定されている。便器洗浄装置７は便鉢２１のボウル部２０を洗浄するために水を供給するものであり、開閉機能をもつ弁手段７０と、弁手段７０の開閉操作に起因する減圧による逆流水を抑えるためのバキュームブレーカ７５とを備えている。
【００１８】
弁手段７０は、便鉢２１の洗浄のために水を洋風便器本体２の便鉢２１内に供給・停止するものであり、リム用の開閉弁７１と、ジェット用の開閉弁７３とを互いに隣設させて構成されている。リム用の開閉弁７１の出水ポートは、図３に示すように、リム用導管７１ｅを介してリム通水路２３に接続されており、リム通水路２３に水を供給する。ジェット用の開閉弁７３の出水ポートは、ジェット用導管７３ｅを介してジェットノズルに接続されており、ジェットノズルに水を供給する。
【００１９】
バキュームブレーカ７５は、前述したように弁手段７０における水の逆流を防止するために弁手段７０に設けられたものであり、リム用の開閉弁７１に設けられた第１バキュームブレーカ７６と、ジェット用の開閉弁７３に設けられた第２バキュームブレーカ７８とで構成されている。第１バキュームブレーカ７６は、大気に連通する第１吸気口７６ａと、逆流水を流す第１吐出管７６ｃとをもつ。第２バキュームブレーカ７８は、大気に連通する第２吸気口７８ａと、逆流水を流す第２吐出管７８ｃとをもつ。
【００２０】
図２に示すように、固定プレート３の内部には、バキュームブレーカ７５からの逆流水を洋風便器本体２のボウル部２０内に案内する案内手段として機能する案内路８が形成されている。案内路８は、固定プレート３の便器洗浄装置取付部３１の内部に形成された第１案内路８１と、第１案内路８１に連通するように固定プレート３の便座・便蓋装置取付部３０の内部に形成され、ボウル部２０に臨む先端開口８２ｍをもつ第２案内路８２とを有する。第１案内路８１の第１底面８１ｋ及び第２案内路８２の第２底面８２ｋは共に、ボウル部２０に向かうにつれて下降傾斜するようにされており、逆流水をボウル部２０に向けて流下させ得るようにされている。
【００２１】
第１案内路８１は第１吐出管７６ｃの先端及び第２吐出管７８ｃの先端と連通しており、逆流水が発生したとしても、逆流水は第１吐出管７６ｃ及び第２吐出管７８ｃを介して第１案内路８１を流下し、さらに第２案内路８２を流下し、先端開口８２ｍから洋風便器本体２のボウル部２０内に排出される。
なお、図２に示すように、第１案内路８１は平面形状がＬの字形状をなしており、第２案内路８２は平面形状が直路形状をなしている。第１案内路８１と第２案内路８２との境界域には、水洩れを抑えるゴムや軟質樹脂等の弾性材料で形成されたシール部材８３が設けられている。
【００２２】
図１〜３に示すように、固定プレート３の便器洗浄装置取付部３１に固定された便器洗浄装置７には、弁手段７０の開閉を行う駆動装置９が設けられている。駆動装置９は、リム用の開閉弁７１の開弁及び閉弁と、ジェット用の開閉弁７３の開弁及び閉弁とを行うためのものであり、カム装置９０と、カム装置９０を駆動させるモータ装置９５とを備えている。カム装置９０は弁手段７０の上方に設けられており、固定プレート３の便器洗浄装置取付部３１に保持されている取付片９１に水平状態で回転可能に保持された回転軸９２と、回転軸９２にこれの軸直角方向に突出するように並設された第１カム９３及び第２カム９４とを備えている。回転軸９２は洋風便器本体２の幅方向に沿って延設されている。
【００２３】
モータ装置９５は取付片９１に固定されており、モータ９６と、モータ９６の回転力を回転軸９２に伝達する減速ギヤとを内蔵しており、図示しないコントローラの制御により回転軸９２を回転駆動できるようになっている。モータ装置９５により回転軸９２が回転すると、第１カム９３及び第２カム９４は回転する。次に、固定プレート３を洋風便器本体２に組み付ける場合について説明を加える。このタンクレス便器１では、図１から理解できるように、固定プレート３の便器洗浄装置取付部３１には便器洗浄装置７が予め装備されている。この状態において、固定プレート３の取付孔３３を洋風便器本体２の固定プレート取付孔２８を対面させた状態で固定プレート３を洋風便器本体２の支持部２５に載せると共に、取付孔３３及び固定プレート取付孔２８に取付手段としてのボルト部材１００を挿通し、ボルト部材１００の雄ねじ部に第１ナット部材１０２を締結することにより、固定プレート３の便器洗浄装置取付部３１を洋風便器本体２の支持部２５の支持面２６に脱着可能に固定する。
【００２４】
また、便座・便蓋装置５の取付ボルト５４を固定プレート３の便座・便蓋装置取付部３０の便座・便蓋取付孔３２及び洋風便器本体２の挿通孔２７に順に挿通した状態とし、取付ボルト５４の先端の雄ねじ部に第２ナット部材１０４を締結する。これにより便座・便蓋装置５を固定プレート３の便座・便蓋装置取付部３０に脱着可能に固定すると共に、固定プレート３の便座・便蓋装置取付部３０を洋風便器本体２の支持部２５に脱着可能に固定する。そして、外側からカバー１５０を脱着可能に被せ、便器洗浄装置７等を覆う。
【００２５】
図３に示すように、タンクレス便器１を設置する室の壁には給水源である水道管等の給水管１１０が設けられている。給水管１１０に取り付けられた止水栓１１１から導出されたフレキシブルホース１１２の先端部１１２ａは便器洗浄装置７の弁手段７０の入水ポートに接続される。これにより給水管１１０からの水はリム用の開閉弁７１及びジェット用の開閉弁７３に給水される。
【００２６】
次に、洋風便器本体２のボウル部２０の洗浄を行う場合について説明を加える。このタンクレス便器１では、使用者のスイッチ操作に基づいて、コントローラの信号により駆動装置９のモータ９６が駆動し、回転軸９２が回転駆動される。これにより第１回目のリム通水操作が行われる。すなわち、第１カム９３のカム面がリム用の開閉弁７１の図示しないシャフトを下方向に押圧し、リム用の開閉弁７１を開弁させる。これにより洗浄水はリム用の開閉弁７１の出水ポートを経てリム用導管７１ｅに供給され、リム通水路２３に供給されてボウル部２０の内壁面が洗浄される。
【００２７】
カム装置９０の駆動に伴い、第１カム９３がリム用の開閉弁７１のシャフトを下方向に押圧しなくなり、図略のリターンバネによりリム用の開閉弁７１が閉弁する。その後、第２カム９４がジェット用の開閉弁７３の図示しないシャフトを下方向に押圧し、ジェット用の開閉弁７３を開弁させる。これによりジェット通水操作が行われる。すなわち、第２カム９４のカム面がジェット用の開閉弁７３のシャフトを下方向に押圧し、ジェット用の開閉弁７３を開弁させる。これにより洗浄水はジェット用の開閉弁７３の出水ポートを経てジェット用導管７３ｅに供給され、ジェットノズルに供給されて強制的にサイホン作用を生じさせる。
【００２８】
次いで、カム装置９０の駆動に伴い、第２カム９４のカム面がジェット用の開閉弁７３のシャフトを下方向に押圧しなくなり、図略のリターンバネによりジェット用の開閉弁７３が閉弁する。その後、第１カム９３のカム面がリム用の開閉弁７１のシャフトを再度下方向に押圧し、リム用の開閉弁７１を再度開弁させる。これにより第２回目のリム通水操作が行われる。すなわち、洗浄水はリム用の開閉弁７１を経てリム通水路２３に供給され、洗浄水はボウル部２０の内壁面に沿って流下する。これによりボウル部２０は封水され、ボウル部２０の洗浄を終了する。
【００２９】
次に清掃する場合について説明を加える。このタンクレス便器１では、洋風便器本体２と便座・便蓋装置５や便器洗浄装置７との間の微小隙間に汚れが発生し、洋風便器本体２の清掃を行おうとする場合、清掃者は、固定プレート３を洋風便器本体２の支持部２５から外せば、便座・便蓋装置５及び便器洗浄装置７を洋風便器本体２から取り外すことができる。こうして、このタンクレス便器１は、洋風便器本体２の清掃のために多くの手順を必要としないことから、洋風便器本体２の清掃性が高い。特に、このタンクレス便器１では、便座・便蓋装置５のみを固定プレート３に固定したまま洋風便器本体２に対して上下に揺動できるため、固定プレート３の前方側に隠れた洋風便器本体２の支持部２５の清掃性を高めている。また、このタンクレス便器１では、支持部２５の固定プレート取付孔２８により固定プレート３の後方側のみが洋風便器本体２に固定されているだけであるので、便座・便蓋装置５とともに固定プレート３を容易に取り外すことができ、洋風便器本体２の清掃性が高い。
【００３０】
また、このタンクレス便器１では、固定プレート３は、便座・便蓋装置５及び便器洗浄装置７の双方を併せて洋風便器本体２に取り付ける共通プレートとして利用されるため、取付性も改善され、部品点数の低減も図っている。
さらに、このタンクレス便器１では、固定プレート３内の第１、２案内路８１、８２により第１、２バキュームブレーカ７６、７８の第１、２吸気口７６ａ、７８ａから吐出する逆流水を洋風便器本体２に案内することができるため、特別な配管を必要とすることなく、逆流水による汚染を防止することができる。
【図面の簡単な説明】
【図１】実施形態に係るタンクレス便器の分解斜視図である。
【図２】実施形態に係るタンクレス便器の固定プレート付近の要部平面図である。
【図３】実施形態に係るタンクレス便器の固定プレート付近の要部側面図である。
【符号の説明】
２４…リム
２５…支持部
２…洋風便器本体
５…便座・便蓋装置
１１０…給水管
７…便器洗浄装置
１…タンクレス便器
３０…便座・便蓋装置取付部
３１…便器洗浄装置取付部
３…固定プレート
５４…取付ボルト
３２…便座・便蓋取付孔
２７…挿通孔
２８…固定プレート取付孔
７０…弁手段（７１…リム用の開閉弁、７３…ジェット用の開閉弁）
７５…バキュームブレーカ（７６…第１バキュームブレーカ、７８…第２バキュームブレーカ）
７６ａ…第１吸気口
７８ａ…第２吸気口
８…案内路（８１…第１案内路、８２…第２案内路）
【図１】
0003668395.tif 000002
【図２】
0003668395.tif 000003
【図３】
0003668395.tif 000004